(57)【要約】【課題】  フライタイイングに必要な瞬間接着剤及びニードルとセット化した販売及び使用形態を採用することができ、瞬間接着剤を垂らすための部材を別途確保する必要をなくし、作業性の向上が図れると共に、垂らした瞬間接着剤を数時間硬化することなく保持できるフライタイイング用瞬間接着剤のシャーレを提供する。【解決手段】  ＰＥＴ樹脂を用いて形成されたシャーレ本体２の天板３に、瞬間接着剤の収納容器Ａを起立状に保持するためのスタンド部４と、ニードルＢを起立状に立てるためのニードルスタンド部５と、瞬間接着剤の収納容器Ａから滴下させた瞬間接着剤を貯留するための多数の窪み６が設けてある。【選択図】図１
0003101565.tif 000002
【実用新案登録請求の範囲】
【請求項１】
合成樹脂を用いて形成されたシャーレ本体の天板に、瞬間接着剤の収納容器を起立状に保持するためのスタンド部と、ニードルを起立状に立てるためのニードルスタンド部と、瞬間接着剤の収納容器から滴下させた瞬間接着剤を貯留するための多数の窪みとを設けたフライタイイング用瞬間接着剤のシャーレ。
【請求項２】
上記シャーレ本体は、フラットな天板の下部周囲に周壁を設けて形成され、瞬間接着剤の収納容器のスタンド部が、瞬間接着剤の収納容器の下部を差し込める直径の凹孔によって形成され、ニードルを起立状に立てるためのニードルスタンド部が、ニードルを突き刺すことのできる窪みによって形成されている請求項１に記載のフライタイイング用瞬間接着剤のシャーレ。
【請求項３】
上記シャーレ本体は、瞬間接着剤が固着しにくいＰＥＴ樹脂を用いて形成されている請求項１又は２に記載のフライタイイング用瞬間接着剤のシャーレ。
【考案の詳細な説明】
【技術分野】
【０００１】
この考案は、フライフイッシングの際に用いるフライをタイイングするときに使用する瞬間接着剤を、少量垂らし入れて保持するためのシャーレに関する。
【背景技術】
【０００２】
フライフイッシングの際に用いるフライ（毛釣）は、主として水生や陸生の昆虫を模したものであり、水面に浮くタイプのドライフライ、水中に沈むタイプのウェットフライやニンフライ等があり、何れのフライも、合成繊維等のようなシンセテイックマテリアルや羽毛、絹糸のようなナチュラルマテリアルを用い、これをフックや心棒に取り付けてタイイングされ、上記マテリアルの特性を選ぶことにより、ドライフライや水中形のフライが得られることになる。
【０００３】
ところで、フライのタイイング工程におけるフックや心棒に対するマテリアルの固定は、バイス（例えば、特許文献１）で固持したフックや心棒に上記マテリアルを沿わせ、上記フックや心棒とマテリアルを糸の巻き付けによって固定し、この後、糸の巻き付部分を瞬間接着剤の塗布によって固めることによって行われる。
【０００４】
従来、上記した巻き糸の部分に瞬間接着剤を塗布するには、収納容器に入った瞬間接着剤とニードル及び適当なプレートやシート状部材を用意し、先ず、このプレートやシート状部材に収納容器内の瞬間接着剤をノズルから適量を垂らし、次に、垂らした瞬間接着剤をニードルの先端に付着させ、これを巻き糸の部分に塗布するようにしている。
【０００５】
上記瞬間接着剤は、即乾性を有し、塗布しすぎるとマテリアルにまで浸透して硬くするので、少量を塗布する必要がある。
【０００６】
上記瞬間接着剤は、一般的に先端が小径となる筒形の細長い収納容器に入った状態で販売され、瞬間接着剤の取り出しは、収納容器の先端を開封した後、先端にステンレス等のノズルを被せ、容器を加圧することにより内部の瞬間接着剤をノズルから滴下させることにより行うものである。
【０００７】
また、瞬間接着剤を、上記した巻き糸の部分に少量を塗布するため、ニードルを用い、その先端に瞬間接着剤を少量付着させた状態で、これを巻き付けた糸の部分に塗布するようにしている。
【０００８】
【特許文献１】特許第３４５５８７３号公報
【考案の開示】
【考案が解決しようとする課題】
【０００９】
上記のように、巻き糸の部分に対する瞬間接着剤の塗布に際して、従来は、容器内の瞬間接着剤を垂らすためのプレートやシート状部材を別途用意しなければならず、その確保が面倒であると共に、瞬間接着剤とニードル及びセメントを垂らすための部材が別々で置く場所に関連性がないので、作業性が悪いという不都合がある。
【００１０】
また、瞬間接着剤は即硬性を有するため、フラットなプレートやシート状部材に滴下させると全体が空気に触れて短時間で硬化することになり、このため、速やかに塗布作業を行わなければならず、滴下させた瞬間接着剤の全量を有効に使用することが困難になり、瞬間接着剤に無駄が生じるという問題がある。
【００１１】
そこで、この考案の課題は、瞬間接着剤及びニードルとセット化した販売及び使用形態を採用することができ、瞬間接着剤を垂らすための部材を別途確保する必要をなくし、作業性の向上が図れると共に、垂らした瞬間接着剤を数時間硬化することなく保持でき、瞬間接着剤の無駄を少なくすることができるフライタイイング用瞬間接着剤のシャーレを提供することにある。
【課題を解決するための手段】
【００１２】
上記のような課題を解決するため、この考案は、合成樹脂を用いて形成されたシャーレ本体の天板に、瞬間接着剤の収納容器を起立状に保持するためのスタンド部と、ニードルを起立状に立てるためのニードルスタンド部と、瞬間接着剤の収納容器から滴下させた瞬間接着剤を貯留するための多数の窪みとを設けた構成を採用したものである。
【００１３】
上記シャーレ本体は、フラットな矩形状天板の下部周囲に周壁を設けて形成され、瞬間接着剤の収納容器のスタンド部が、瞬間接着剤の収納容器の下部を差し込める直径の凹孔によって形成され、ニードルを起立状に立てるためのニードルスタンド部が、ニードルを突き刺すことのできる窪みによって形成されている構造とすることができる。  また、上記シャーレ本体は、ＰＥＴ樹脂を用いて形成することができる。
【００１４】
ここで、上記天板に設けた瞬間接着剤を貯留するための多数の窪みは、略半球状の小さな凹部によって形成され、天板の長手方向に対して一定間隔で直列に並ぶと共に、幅方向に複数列の配置となり、使用する窪みを順次変えて行くことにより、窪みの数だけの繰り返し使用ができる。
【考案の効果】
【００１５】
この考案によると、シャーレ本体の天板に、瞬間接着剤の収納容器のスタンド部と、ニードルを立てるためのニードルスタンド部と、瞬間接着剤の収納容器から滴下させた瞬間接着剤を貯留するための多数の窪みとを設けたので、フライタイイングに必要な瞬間接着剤とニードル及びシャーレをセット化した状態の販売及び使用形態を採用することができ、フライタイイング時に瞬間接着剤を垂らすための部材を別途確保する必要をなくし、しかも、シャーレで瞬間接着剤とニードルを保持することで、フライタイイングに必要な部材を一箇所に集合させることができ、フライタイイングの作業性の向上が図れる。
【００１６】
更に、フライタイニング用のみならず、手芸、模型等の細かい部品の接着作業に用いても、その作業性が向上する。
【００１７】
また、天板に瞬間接着剤を貯留するための窪みを多数設けたので、使用する窪みを順次変えて行くことにより、窪みの数だけの繰り返し使用ができるので経済的である。
【００１８】
更に、ＰＥＴ樹脂で形成したシャーレ本体の天板に、瞬間接着剤を貯留するための窪みを多数設けたので、窪みに滴下させた瞬間接着剤の空気との接触を少なくし、瞬間接着剤を数時間硬化することなく保持でき、フライタイイングの作業があわてずに行えるだけでなく、滴下させた瞬間接着剤の全量を有効に使用でき、瞬間接着剤の無駄を省くことができる。
【考案を実施するための最良の形態】
【００１９】
合成樹脂を用いたシャーレ本体の天板に、瞬間接着剤の収納容器を保持するためのスタンド部と、ニードルを起立状に立てるためのニードルスタンド部と、瞬間接着剤の収納容器から滴下させた瞬間接着剤を貯留するための多数の窪みを設ける。
【実施例】
【００２０】
以下、この考案の実施例を添付図面に基づいて説明する。
【００２１】
図示のように、この考案のシャーレ１は、シャーレ本体２の天板３に、瞬間接着剤の収納容器Ａを起立状に保持するためのスタンド部４と、ニードルＢを起立状に立てるためのニードルスタンド部５と、瞬間接着剤の収納容器Ａから滴下させた瞬間接着剤を貯留するための多数の窪み６とを設けて形成されている。
【００２２】
上記シャーレ本体２は、ＰＥＴ樹脂等の合成樹脂を用い、フラットな横長で所定の厚みを有する矩形状天板３の下部周囲に周壁７を設けて形成され、瞬間接着剤の収納容器Ａのスタンド部４は、天板３の一方端部側で前方コーナ寄りの位置に設けられ、瞬間接着剤の収納容器Ａの下部を差し込める直径の凹孔によって形成されている。
【００２３】
また、ニードルＢを起立状に立てるためのニードルのスタンド部５は、図２（Ａ）のように、天板３の一方端部側で上記スタンド部４よりも手前側の位置に設けられ、ニードルＢの先鋭端を突き刺すことのできるよう、少し深みのある窪みによって形成されている。
【００２４】
上記シャーレ本体２の天板３に設けた瞬間接着剤を貯留するための多数の窪み６は、図２（Ｂ）のように、略半球状の小さな凹部によって形成され、天板３の長手方向に対して一定間隔で直列に並ぶと共に、幅方向に複数列の配置で、例えば、合計２０〜３０個の数が設けられ、使用する窪み６を順次変えて行くことにより、シャーレ本体２は窪み６の数だけの繰り返し使用ができることになる。
【００２５】
この考案のシャーレ１は、上記のような構成であり、フライタイイングに必要な瞬間接着剤の収納容器ＡとニードルＢ及び上記シャーレ１をセット化した状態で販売する。
【００２６】
フライタイイングに際して、シャーレ本体２を作業場所の近傍に設置し、図１のように、その天板３に設けたスタンド部４に、瞬間接着剤の収納容器Ａの下部を差し込むことによって起立させ、また、ニードルのスタンド部５の底部に、ニードルＢの先鋭端を突き刺すことによってニードルＢを起立状に立てておく。
【００２７】
フライタイイングの作業を行うとき、図２（Ｂ）のように、先ず、スタンド部４から取り出した瞬間接着剤の収納容器ＡのノズルＣから瞬間接着剤Ｄを適当な位置の窪み６に２〜３滴垂らしておき、次に、スタンド部５から抜き取ったニードルＢの先端に窪み６内の瞬間接着剤を少量付着させ、これを巻き糸の部分に塗布するフックや心棒とマテリアルを固定する糸の巻き付部分に塗布することにより、フライをタイイングする。
【００２８】
このように、フライタイイングに必要な瞬間接着剤の収納容器ＡとニードルＢ及びシャーレ１を一箇所に集合させてあるので、フライタイイングの作業性の向上が図れると共に、瞬間接着剤を貯留するための窪み６を多数設けたシャーレ本体２をＰＥＴ樹脂で形成したので、窪み６に滴下させた瞬間接着剤を２〜３時間硬化することなく保持でき、従って、フライタイイングの作業があわてずに行えるだけでなく、滴下させた瞬間接着剤の全量を有効に使用でき、瞬間接着剤の無駄を省くことができる。
【００２９】
また、瞬間接着剤を貯留するための窪み６を多数設けたので、使用する窪み６を順次変えて行くことにより、窪み６の数だけの繰り返し使用ができることになる。
【図面の簡単な説明】
【００３０】
【図１】この考案のシャーレを示す使用状態の斜視図
【図２】（Ａ）は図１の矢印ａ−ａに沿う拡大した縦断側面図、（Ｂ）は同じく図１の矢印ｂーｂに沿う拡大した縦断正面図
【符号の説明】
【００３１】
１  シャーレ
２  シャーレ本体
３  天板
４  スタンド部
５  スタンド部
６  窪み
７  周壁
Ａ  瞬間接着剤の収納容器
Ｂ  ニードル
Ｃ  ノズル
Ｄ  瞬間接着剤
【図１】
0003101565.tif 000003
【図２】
0003101565.tif 000004